【事件の表示】
　特許第６５１２３０８号発明「クロマトグラフ」の特許異議申立事件について、次のとおり決定する。
【結　論】
　特許第６５１２３０８号の特許請求の範囲を訂正請求書に添付された訂正特許請求の範囲のとおり訂正後の請求項〔１−４〕について訂正することを認める。
　特許第６５１２３０８号の請求項１、２、４に係る特許を維持する。
　特許第６５１２３０８号の請求項３に係る特許についての特許異議の申立てを却下する。
【理　由】
第１　手続の経緯
　特許第６５１２３０８号の請求項１〜４に係る特許についての出願は、平成２７年１２月２８日に出願され、平成３１年４月１９日にその特許権の設定登録がされ、令和元年５月１５日に特許掲載公報が発行された。その後、その特許について、令和元年１１月１５日に特許異議申立人山田　宏基（以下「申立人」という。）により特許異議の申立てがされ、当審は、令和２年２月１８日付けで取消理由を通知した。特許権者は、その指定期間内である同年４月１５日に意見書の提出及び訂正の請求を行い、その訂正の請求に対して、申立人は、同年６月５日に意見書を提出した。当審より、同年７月１日付けで取消理由（決定の予告）が通知され、同年９月３日に特許権者より意見書の提出及び訂正の請求（以下、当該訂正の請求を「本件訂正請求」という。）がされ、その訂正の請求に対して、申立人は、令和２年１０月１３日に意見書を提出した。
第２　訂正の適否についての判断
１　訂正の内容
　本件訂正請求による訂正の内容は、以下のとおりである。（下線は、訂正箇所を示す。）
（１）訂正事項１
　特許請求の範囲の請求項１に「本体と、前記本体に設けられ、試料を検出して検出信号を出力する検出器と、前記本体に設けられ、タッチパネル式の表示画面を有する表示器と、」と記載されているのを、「
カラム、及びカラムオーブンを収容する中空状の
過去の分析時に生成されたクロマトグラムのデータを格納する記憶部と、
第１
第１
第１
第１
前記第１
前記表示画面における第２グラフ領域内に前記記憶部に格納されている前記データに対応する第２クロマトグラムを表示させ、さらに
第１
又は前記第２グラフ領域
前記第１
および前記第２クロマトグラム
第２
該第２クロマトグラムをコピーしたクロマトグラムを前記第１グラフ領域内の前記第１クロマトグラムに横軸である時間軸を対応付けた状態で重ねて表示することで、
第１
　そして、請求項１を引用する、請求項２及び４も同様に訂正する。
（２）訂正事項２
　特許請求の範囲の請求項２に、「前記表示処理部は、前記表示画面における前記グラフ領域に対するタッチ操作に基づいて、当該グラフ領域内に表示されているクロマトグラムを拡大表示又は縮小表示させることを」と記載されているのを、「前記表示処理部は、前記表示画面における前記
第１
第１
前記第１
　そして、請求項２を引用する、請求項４も同様に訂正する。
（３）訂正事項３
　特許請求の範囲の請求項３を削除する。
（４）訂正事項４
　特許請求の範囲の請求項４に「前記表示処理部は、前記表示画面における前記グラフ領域内のクロマトグラムの表示を停止させた後、当該グラフ領域に対するタッチ操作が一定時間行われない場合に、クロマトグラムの変化を再開させることを特徴とする請求項１〜３のいずれか一項に記載のクロマトグラフ。」と記載されているのを、「前記表示処理部は、前記表示画面における前記
第１
前記第１
第１
当該第１
２
　なお、訂正前の請求項１〜４について、請求項２〜４はそれぞれ請求項１を直接又は間接的に引用しているから、訂正前において一群の請求項に該当するものである。
　したがって、上記訂正の請求は、一群の請求項ごとにされたものである。
２　訂正の目的の適否、新規事項の有無、及び特許請求の範囲の拡張・変更の存否
（１）訂正事項１について
　訂正事項１に係る請求項１についての訂正は、「クロマトグラム」の「本体」が「カラム、及びカラムオーブンを収容する中空状」であり、「前記本体」は、「過去の分析時に生成されたクロマトグラムのデータを格納する記憶部」を備え、「前記本体」に備えられた「表示処理部」が、「前記検出器からの検出信号に基づいて、前記表示画面内に配置され、クロマトグラムをリアルタイムで表示させるための領域である第１グラフ領域内に第１クロマトグラムをリアルタイムで表示させるとともに、前記表示画面における前記グラフ領域に対するタッチ操作に基づいて、当該第１グラフ領域内の表示を変更」し、「前記検出器からの検出信号に基づいて、前記表示画面における前記第１グラフ領域内に第１クロマトグラムをリアルタイムで変化させながら表示させるとともに、前記表示画面における第２グラフ領域内に前記記憶部に格納されている前記データに対応する第２クロマトグラムを表示させ、さらに前記表示画面における前記第１グラフ領域又は前記第２グラフ領域に対するタッチ操作に基づいて、前記第１クロマトグラム及び前記第２クロマトグラムの変化を停止させ、その後の当該第２グラフ領域に対するタッチ操作に基づいて、該第２クロマトグラムをコピーしたクロマトグラムを第１グラフ領域内の前記第１クロマトグラムに横軸である時間軸に対応付けた状態で重ねて表示することで、当該第１グラフ領域内の表示を変更する」旨の限定を加えるものであるから特許請求の範囲の減縮を目的とするものであり、本件明細書の発明の詳細な説明に、（下線は当審にて付した。以下同様。）
（本ａ）「【００２０】
１．ガスクロマトグラフの全体構成
　図１は、本発明の一実施形態に係るガスクロマトグラフの構成例を示した概略図である。
このガスクロマトグラフは、
カラム１
カラムオーブン２、
れらを収容する中空状の本体１０などを備えている
　カラム１は、例えば、キャピラリカラムからなる。カラム１は、ヒータ及びファンなど（いずれも図示せず）とともにカラムオーブン２内に収容されている。
　カラムオーブン２は、カラム１を加熱するためのものであり、分析時にはヒータ及びファンを適宜駆動させる。」
（本ｂ）「【００５４】
　図７〜図１０は、比較モードの状態の表示画面１１１の表示態様の一例を示した概略図である。具体的には、図７は、表示画面１１１が比較モードとなった直後の状態を示している。また、図８は、
第１グラフ領域１１３において、分析中のクロマトグラムに対して前回分析時のクロマトグラムを重ねて表示する
　図７〜図１０を用いて、比較モードの場合の表示画面１１１の表示態様について説明する。
【００５５】
　例えば、表示画面１１１において基本画面が表示される状態において、グラフＡの表示内容によっては、前回分析時のデータと比較することにより、精度の高い分析を行うことができる場合がある。このような場合に対応するため、表示処理部１３２は、
表示画面１１１に対するタッチ操作に基づいて、
表示画面１１１の表示内容を変更する。
【００５６】
　図７に示すように、比較モードとなった表示画面１１１では、
下方側に上記した第１グ
ラフ領域１１３が表示されており、上方側に第２グラフ領域１１５が表示され
　第１グラフ領域１１３では、上記したように、
データ処理部１３１によって生成されたクロマトグラムであるグラフＡが
第１グラフ領域１１３では、クロマトグラムがリアルタイム表示され
【００５７】
　
第２グラフ領域１１５は、前回分析時に生成されたクロマトグラムを表示させるための領域であって、記憶部１２に格納されている前回データ１２１に対応するグラフＤが表示され
（本ｃ）「【００５９】
　そして、この状態から、
表示処理部１３２は、表示画面１１１に対するタッチ操作がさらに行われると、そのタッチ操作に基づいて表示内容を変更する
　具体的には、表示処理部１３２は、表示画面１１１を比較モードにした状態において、作業者によって、
第１グラフ領域１１３又は第２グラフ領域１１５に対してタッチ操作が行われると
第１グラフ領域１１３におけるグラフＡの移動、及び、第２グラフ領域１１５におけるグラフＤの移動を停止する
【００６０】
　そして、
表示処理部１３２は、作業者によって、第２グラフ領域１１５の一部分をタッチした状態から、そのタッチ部分を下方にずらすようにしてスライド操作（ドラッグ）が行われると、図８に示すように、第１グラフ領域１１３において、グラフＡにグラフＥを重ねる。グラフＥは、第２グラフ領域１１５に表示されるグラフＤをコピーしたグラフ
【００６１】
　すなわち、
第１グラフ領域１１３において、分析中のクロマトグラムであるグラフＡと、前回分析時のクロマトグラムであるグラフＥとが、横軸（時間軸）を対応付けた状態で、重ねて表示される
　このとき、グラフＡとグラフＥとを異なる色で表示させるなどして、互いに区別させることが好ましい。」
（本ｄ）「【００７８】
　また、以上の説明では、表示画面１１１が比較モードとなった場合に、第２グラフ領域１１５には、前回分析時のクロマトグラムが表示されるとして説明したが、第２グラフ領域１１５には、複数の過去の分析時に生成されたクロマトグラムから選択された一のクロマトグラムが表示されてもよい。具体的には、
記憶部１２に、過去の分析時に生成されたクロマトグラムのデータが複数記憶され
表示処理部１３２は、表示画面１１１が比較モードとなった場合に、第２グラフ領域１１５において、これらの複数のデータから選択された一のデータに基づくクロマトグラムを表示させてもよい
と記載されていることから、新規事項の追加に該当せず、実質上特許請求の範囲を拡張し、又は変更するものでもない。
（２）訂正事項２について
　訂正事項２に係る請求項２についての訂正は、「前記表示処理部」が、「基づく」「タッチ操作」を、「前記表示画面における前記グラフ領域に対するタッチ操作」から、「前記表示画面における前記第１グラフ領域に対するタッチ操作」に限定し、この「タッチ操作に基づいて」、「拡大表示又は縮小表示させる」「当該グラフ領域内に表示されているクロマトグラム」を、「当該グラフ領域内に表示されているクロマトグラム」から「当該第１グラフ領域内に表示されている前記第１クロマトグラム」に限定しているから、訂正事項２は、特許請求の範囲の減縮を目的とするものであり、本件明細書の発明の詳細な説明に、
（本ｅ）「【００４６】
　具体的には、表示処理部１３２は、表示画面１１１を編集モードにした状態において、作業者によって、
第１グラフ領域１１３の所定部分に対するタッチが一定時間続けられる
表示画面１１１に拡大画面１１４を表示させ
【００４７】
　拡大画面１１４は、第１グラフ領域１１３に重ねて表示されている。拡大画面１１４では、一定時間続けてタッチされた部分を中心とする第１グラフ領域１１３の一定領域が拡大表示される。
　なお、図５では、図３に示す領域Ｂに対するタッチが続けられることにより、編集モードとなった場合の表示画面１１１を示している。すなわち、図５では、図３に示す領域Ｂが拡大画面１１４において拡大表示されている。
【００４８】
　さらに、表示処理部１３２は、この状態から、拡大画面１１４に対してタッチ操作が行われた場合には、そのタッチ操作に基づいて、拡大画面１１４内の表示内容を変更する。
【００４９】
　例えば、表示処理部１３２は、作業者によって、拡大画面１１４の一部分をタッチした
状態から、そのタッチ部分をずらすようにしてスライド操作が行われると、そのスライド方向に拡大画面１１４内の表示を移動させる。また、表示処理部１３２は、作業者によって、拡大画面１１４における任意の２箇所をタッチした状態から、そのタッチ部分を拡げるようにしてスライド操作（ピンチアウト）が行われると、拡大画面１１４内の表示をさらに拡大させる。また
、表示処理部１３２は、作業者によって、拡大画面１１４における任意の２箇所をタッチした状態から、そのタッチ部分を狭めるようにしてスライド操作（ピンチイン）が行われると、拡大画面１１４内の表示を縮小させ
と記載されていることから、新規事項の追加に該当せず、実質上特許請求の範囲を拡張し、又は変更するものでもない。
（３）訂正事項３について
　訂正事項３に係る請求項３についての訂正は、請求項３を削除する訂正であるから、特許請求の範囲の減縮を目的とするものである。そして、この訂正が、新規事項の追加に該当せず，実質上特許請求の範囲を拡張し，又は変更するものではないことは明らかである。
（４）訂正事項４について
　訂正事項４に係る請求項４についての訂正は、「グラフ領域」及びクロマトグラム」を、それぞれ「第１グラフ領域」及び「第１クロマトグラム」に限定するものであり、そして、訂正事項３により請求項３が削除されたことに伴い、訂正前の請求項４が引用する請求項１〜３の内、請求項３を削除するものであるから、特許請求の範囲の減縮を目的とするものである。そして、この訂正が、新規事項の追加に該当せず，実質上特許請求の範囲を拡張し，又は変更するものではないことは明らかである。
３　小括
　上記のとおり、訂正事項１に係る訂正は、特許法第１２０条の５第２項ただし書第１号に掲げる事項を目的とするものであり、かつ、同条第９項で準用する同法第１２６条第５項及び第６項の規定に適合する。
　したがって、特許請求の範囲を、訂正請求書に添付された訂正特許請求の範囲のとおり、訂正後の請求項〔１〜４〕について訂正することを認める。
第３　訂正後の本件発明
　本件訂正請求により訂正された請求項１〜４に係る発明（以下「本件発明１〜４」という。）は、訂正特許請求の範囲の請求項１〜４に記載された次の事項により特定されるとおりのものである。
「【請求項１】
　カラム、及びカラムオーブンを収容する中空状の本体と、
　前記本体に設けられ、試料を検出して検出信号を出力する検出器と、
　前記本体に設けられ、タッチパネル式の表示画面を有する表示器と、
　過去の分析時に生成されたクロマトグラムのデータを格納する記憶部と、
　前記検出器からの検出信号に基づいて、前記表示画面内に配置され、クロマトグラムをリアルタイムで表示させるための領域である第１グラフ領域内に第１クロマトグラムをリアルタイムで表示させるとともに、前記表示画面における前記グラフ領域に対するタッチ操作に基づいて、当該第１グラフ領域内の表示を変更する表示処理部とを備え、
　前記表示処理部は、前記検出器からの検出信号に基づいて、前記表示画面における前記第１グラフ領域内に第１クロマトグラムをリアルタイムで変化させながら表示させるとともに、前記表示画面における第２グラフ領域内に前記記憶部に格納されている前記データに対応する第２クロマトグラムを表示させ、さらに前記表示画面における前記第１グラフ領域又は前記第２グラフ領域に対するタッチ操作に基づいて、前記第１クロマトグラム及び前記第２クロマトグラムの変化を停止させ、その後の当該第２グラフ領域に対するタッチ操作に基づいて、該第２クロマトグラムをコピーしたクロマトグラムを第１グラフ領域内の前記第１クロマトグラムに横軸である時間軸に対応付けた状態で重ねて表示することで、当該第１グラフ領域内の表示を変更することを特徴とするクロマトグラフ。
【請求項２】
　前記表示処理部は、前記表示画面における前記グラフ領域に対するタッチ操作に基づいて、当該グラフ領域内に表示されているクロマトグラムを拡大表示又は縮小表示させることを特徴とする請求項１に記載のクロマトグラフ。
【請求項３】　（削除）
【請求項４】
　前記表示処理部は、前記表示画面における前記第１グラフ領域内の前記第１クロマトグラムの表示を停止させた後、当該第１グラフ領域に対するタッチ操作が一定時間行われない場合に、当該第１クロマトグラムの変化を再開させることを特徴とする請求項１〜２のいずれか一項に記載のクロマトグラフ。」
第４　取消理由通知に記載した取消理由について
１　取消理由の概要
　訂正前の請求項１〜４に係る特許に対して、当審が令和２年７月１日付けで特許権者に通知した取消理由（決定の予告）の要旨は、次のとおりである。
　訂正前の請求項１及び２に係る発明は、引用文献１に記載された発明、甲第１号証及び引用文献３に記載された技術事項並びに周知技術に基いて、訂正前の請求項３に係る発明は、引用文献１に記載された発明、甲第１号証、引用文献３及び引用文献８に記載された技術事項並びに周知技術に基いて、訂正前の請求項４に係る発明は、甲第１号証、引用文献３、引用文献６及び引用文献８に記載された技術事項並びに周知技術に基いて、当業者が容易に発明することができたものである。よって、請求項１〜４に係る特許は、特許法第２９条第２項の規定に違反してされたものであり、取り消されるべきものである。
引用文献１：特開２０１０−３２２７７号公報
引用文献２：特開２０１５−５９７８２号公報（甲２号証）
引用文献３：特開２０１４−１６９８８２号公報（甲６号証）
引用文献４：特表２０１２−５２９３５１号公報（甲７号証）
引用文献５：特開２００７−１９０２２８号公報（甲８号証）
引用文献６：米国特許出願公開第２０１３／００３０２５７号明細書（甲９号証）
引用文献７：特開２０１４−３２０９３号公報（甲３号証）
引用文献８：特開２００８−５８１５６号公報（甲４号証）
甲１号証：実願平５−５５５３７号（実開平７−２０５５９号）のＣＤ−ＲＯＭ
参考文献１：国際公開第２００８／１０２８７２号の再公表公報
参考文献２：特開２０１０−９１４７４号公報
２　引用文献の記載
（１）　引用文献１
ア　引用文献１に記載された事項
　引用文献１には、以下の事項が記載されている。
（引１ａ）「【００１７】
　この
ＬＣ装置はＬＣ部本体１と処理部２とから成る
ＬＣ部本体１は、
試料に含まれる各種成分を分離するカラム１３と、カラム１３からの溶出液中の各種成分を検出する検出器１４と、検出器１４により検出された信号をデジタル値に変換するＡ／Ｄ変換器（ＡＤＣ）１５と、を備え
【００１８】
　
処理部２は、データ処理部２０とデータ記憶部２５とを含み、データ処理部２０に操作部２８及び表示部２９が接続され
処理部２
は
ＰＣ
であり、
操作部２８はＰＣに接続されるキーボードやマウスなどのポインティングデバイスであり、表示部２９はＰＣに接続される液晶モニタ等の表示モニタである
【００１９】
　
データ処理部２０、クロマトグラム描画部２１、ピーク検出部２２、指示ピーク特定部２３、クロマトグラム伸縮処理部２４などの機能ブロックを含む
データ記憶部２５は分析により収集されたクロマトグラムデータを保存するためのクロマトグラムデータ格納部２６を含む
【００２０】
　次に、本実施例のＬＣ装置における特徴的なデータ処理動作として、クロマトグラム描画処理の動作を、図２を参照して説明する。
　いまここでは、
ＬＣ部本体１による分析の結果、或る試料についてのクロマトグラムデータが収集され、それらが、クロマトグラムデータ格納部２６に
データファイルとして格納され
【００２１】
　
分析担当者が操作部２８で上記データファイルを指定してクロマトグラムの描出を指示すると、データ処理部２０においてクロマトグラム描画部２１が該当するデータファイルをクロマトグラムデータ格納部２６から読み出し、
クロマトグラム表示画面４０を作成して表示部２９の画面上に表示する。
（引１ｂ）「【００２４】
　
分析担当者は表示部２９の画面上に表示された
クロマトグラム表示画面４０を見て、着目するピークを操作部２８により選択した上で自動拡大・縮小表示を指示する
クロマトグラム表示画面４０上に重畳して表示される矢印形状のカーソル４３は操作部２８のマウス
に連動して移動するようになっており、分析担当者はマウス操作によりカーソル４３を着目するピークの内側に移動させる
ピークＰが着目するピークであるものとし、このピークＰを指示するようにカーソル４３の位置が設定され
【００２５】
　
上記
操作を受けてデータ処理部２０では、指示ピーク特定部２３が、マウスで指示された画面上のポイントの位置情報
をクロマトグラム描画部２１が保持する各ピークの開始点及び終了点の位置情報に照らして、指示されたピークを特定する
【００２６】
　次に
クロマトグラム伸縮処理部２４は、特定されたピークＰのピークトップＰ１が予め定められた強度軸上の位置に来るように、或いは、このピークＰ全体が強度軸上の所定の表示範囲に入るように、強度軸の拡大率（又は縮小率）を計算する
指定されたピークのピックトップを位置させるように、ノーマライズ表示を行う
（引１ｃ）「【００２９】
　また上記実施例は、分析終了後に既に収集されているクロマトグラムデータを用いてクロマトグラムを描画する際の処理について説明したが、
分析実行中に順次得られるクロマトグラムデータに基づいてリアルタイムでクロマトグラムを描画する際にも同様の処理を行うこともでき
その場合、既に収集された分のクロマトグラムデータに対してピーク検出を実行し、それにより検出された任意のピークを指定してノーマライズ表示できるようにすればよい。この場合、ノーマライズ表示により強度軸が拡大・縮小されたクロマトグラムに表示が更新された後、その強度軸を保ってそれ以降のリアルタイムのクロマトグラム描画が続行されるようにするとよい
イ　引用文献１に記載された発明
（ア）上記（引１ｃ）より、引用文献１に、「分析実行中に順次得られるクロマトグラムデータに基づいてリアルタイムでクロマトグラムを描画する際にも同様の処理を行うこともできる。その場合、既に収集された分のクロマトグラムデータに対してピーク検出を実行し、それにより検出された任意のピークを指定してノーマライズ表示できるようにすればよい。この場合、ノーマライズ表示により強度軸が拡大・縮小されたクロマトグラムに表示が更新された後、その強度軸を保ってそれ以降のリアルタイムのクロマトグラム描画が続行されるようにするとよい。」と記載されていることから、上記（引１ａ）の「データ記憶部２５は分析により収集されたクロマトグラムデータを保存するためのクロマトグラムデータ格納部２６を含み、ＬＣ部本体１による分析の結果、或る試料についてのクロマトグラムデータが収集され、それらが、クロマトグラムデータ格納部２６にデータファイルとして格納され、分析担当者が操作部２８で上記データファイルを指定してクロマトグラムの描出を指示すると、データ処理部２０においてクロマトグラム描画部２１が該当するデータファイルをクロマトグラムデータ格納部２６から読み出し、クロマトグラム表示画面４０を作成して表示部２９の画面上に表示」することは、上記（引１ｃ）に記載された実施例においては、「データ記憶部２５は分析により収集されたクロマトグラムデータを保存するためのクロマトグラムデータ格納部２６を含み、ＬＣ部本体１による分析中に、或る試料についての分析実行中に順次得られるクロマトグラムデータが収集され、それらが、クロマトグラムデータ格納部２６にデータファイルとして格納され、分析担当者が操作部２８で上記データファイルを指定してクロマトグラムの描出を指示すると、データ処理部２０においてクロマトグラム描画部２１が該当するデータファイルをクロマトグラムデータ格納部２６から読み出し、クロマトグラム表示画面４０を作成してリアルタイムで表示部２９の画面上に表示」することであり、（引１ｂ）に記載の、「上記操作を受けてデータ処理部２０では、指示ピーク特定部２３が、マウスで指示された画面上のポイントの位置情報をクロマトグラム描画部２１が保持する各ピークの開始点及び終了点の位置情報に照らして、指示されたピークを特定し、クロマトグラム伸縮処理部２４は、特定されたピークＰのピークトップＰ１が予め定められた強度軸上の位置に来るように、或いは、このピークＰ全体が強度軸上の所定の表示範囲に入るように、強度軸の拡大率（又は縮小率）を計算し、指定されたピークのピックトップを位置させるように、ノーマライズ表示を行」うことは、「上記操作を受けてデータ処理部２０では、指示ピーク特定部２３が、マウスで指示された画面上のポイントの位置情報をクロマトグラム描画部２１が保持する各ピークの開始点及び終了点の位置情報に照らして、既に収集された分のクロマトグラムデータに対して、指示されたピークを特定し、クロマトグラム伸縮処理部２４は、特定されたピークＰのピークトップＰ１が予め定められた強度軸上の位置に来るように、或いは、このピークＰ全体が強度軸上の所定の表示範囲に入るように、強度軸の拡大率（又は縮小率）を計算し、指定されたピークのピックトップを位置させるように、ノーマライズ表示を行い、ノーマライズ表示により強度軸が拡大・縮小されたクロマトグラムに表示が更新された後、その強度軸を保ってそれ以降のリアルタイムのクロマトグラム描画が続行される」ことである。
（イ）上記（ア）を踏まえれば、上記（引１ａ）〜（引１ｃ）より、引用文献１には、以下の発明（以下「引用発明」という。）が記載されている。
「ＬＣ部本体１と処理部２とから成るＬＣ装置において、
　ＬＣ部本体１は、試料に含まれる各種成分を分離するカラム１３と、カラム１３からの溶出液中の各種成分を検出する検出器１４と、検出器１４により検出された信号をデジタル値に変換するＡ／Ｄ変換器（ＡＤＣ）１５と、を備え、
　処理部２は、データ処理部２０とデータ記憶部２５とを含み、
　処理部２はＰＣであり、
　操作部２８はＰＣに接続されるキーボードやマウスなどのポインティングデバイスであり、表示部２９はＰＣに接続される液晶モニタ等の表示モニタであり、
　データ処理部２０、クロマトグラム描画部２１、ピーク検出部２２、指示ピーク特定部２３、クロマトグラム伸縮処理部２４などの機能ブロックを含み、
　データ記憶部２５は分析により収集されたクロマトグラムデータを保存するためのクロマトグラムデータ格納部２６を含み、
　ＬＣ部本体１による分析中に、或る試料についての分析実行中に順次得られるクロマトグラムデータが収集され、それらが、クロマトグラムデータ格納部２６にデータファイルとして格納され、
　分析担当者が操作部２８で上記データファイルを指定してクロマトグラムの描出を指示すると、データ処理部２０においてクロマトグラム描画部２１が該当するデータファイルをクロマトグラムデータ格納部２６から読み出し、クロマトグラム表示画面４０を作成してリアルタイムで表示部２９の画面上に表示し、
　分析担当者は表示部２９の画面上に表示されたクロマトグラム表示画面４０を見て、着目するピークを操作部２８により選択した上で自動拡大・縮小表示を指示し、
　クロマトグラム表示画面４０上に重畳して表示される矢印形状のカーソル４３は操作部２８のマウスに連動して移動するようになっており、分析担当者はマウス操作によりカーソル４３を着目するピークの内側に移動させ、
　ピークＰが着目するピークであるものとし、このピークＰを指示するようにカーソル４３の位置が設定され、
　上記操作を受けてデータ処理部２０では、指示ピーク特定部２３が、マウスで指示された画面上のポイントの位置情報をクロマトグラム描画部２１が保持する各ピークの開始点及び終了点の位置情報に照らして、既に収集された分のクロマトグラムデータに対して、指示されたピークを特定し、
　クロマトグラム伸縮処理部２４は、特定されたピークＰのピークトップＰ１が予め定められた強度軸上の位置に来るように、或いは、このピークＰ全体が強度軸上の所定の表示範囲に入るように、強度軸の拡大率（又は縮小率）を計算し、指定されたピークのピックトップを位置させるように、ノーマライズ表示を行い、
　ノーマライズ表示により強度軸が拡大・縮小されたクロマトグラムに表示が更新された後、その強度軸を保ってそれ以降のリアルタイムのクロマトグラム描画が続行される
　ＬＣ装置。」
（２）引用文献２
ア　引用文献２には、以下の事項が記載されている。
（引２ａ）「【００２５】
　図１は本実施例の
波形処理支援装置１が用いられる分取液体クロマトグラフ装置
紫外可視分光光度計である検出器１５はカラム１４から溶出する成分を順次検出し、検出信号を信号処理部２１へと送る。
信号処理部２１は、検出器１５から得られる検出信号に基づいてクロマトグラムを作成する。
【００２６】
　使用者は、作成されたクロマトグラムのピーク波形に基づき、分取する区間を決定するが、
上記信号処理部２１、波形解析部２２、及び分取時刻決定部２３を有し、所定の処理プログラムが搭載されたコンピュータ１０と、入力装置からなる入力部２５と、表示画面からなる表示部２６を有する波形処理支援装置１は
【００２７】
　まず、波形解析部２２の波形表示処理部２７は波形処理支援装置１の使用者に「Ｗｉｄｔｈ」および「Ｓｌｏｐｅ」という２つのパラメータに基づいて
該クロマトグラム上のピークの立ち上がり位置及び立ち下がり位置を指定させるために、信号処理部２１が作成したクロマトグラムの波形を表示部２６の表示画面に表示する。
【００２８】
　クロマトグラムのピーク波形が表示された表示画面の一例を図３に示す。表示部２６の表示画面は横軸を時間、縦軸を強度として、クロマトグラムのピーク波形を表示する画面領域２０を有する。
画面領域２０には、使用者がマウスを操作し、波形解析部２２の標点表示処理部２８が表示するマウスポインタ３１をピーク波形の点Ｐに重ねてクリックすることで、ピークの立ち上がり位置を指定し
【００２９】
　使用者がマウスポインタ３１を移動させ、それをピーク波形の点Ｐに重ねて、マウスのボタンをクリックすると、波形解析部２２の傾斜情報表示処理部２９は、波形データに基づき、使用者が指定した点Ｐの傾きの値を直ちに計算し、点Ｐの傾きの値（数値）３２を点Ｐの近くに表示する。なお、傾きの値（数値）は、点Ｐの近くではなく、画面の右上等、別の分かりやすい場所でも良い。
【００３０】
　本実施例では、
入力部２５としてマウスを用い、使用者がマウスでクリックしてピークの立ち上がり位置を指定した場合を示したが、表示部２６がタッチパネルとなっている場合は、ペン型入力デバイスや指でタッチする等の方法でピーク波形の点Ｐを指定しても良い。また、クリック等の特別な指定のための操作を行うことなく、マウスポインタ３１が載ったピーク波形の点を指定された点としても良い。」
イ　引用文献２に記載された技術事項
　上記（引２ａ）より、引用文献２には、以下の技術事項（以下「技術事項２」という。）が記載されている。
「波形処理支援装置１が用いられる分取液体クロマトグラフ装置において、
　紫外可視分光光度計である検出器１５はカラム１４から溶出する成分を順次検出し、検出信号を信号処理部２１へと送り、
　信号処理部２１は、検出器１５から得られる検出信号に基づいてクロマトグラムを作成し、
　波形処理支援装置１は、上記信号処理部２１、波形解析部２２、及び分取時刻決定部２３を有し、所定の処理プログラムが搭載されたコンピュータ１０と、入力装置からなる入力部２５と、表示画面からなる表示部２６を有し、
　該クロマトグラム上のピークの立ち上がり位置及び立ち下がり位置を指定させるために、信号処理部２１が作成したクロマトグラムの波形を表示部２６の表示画面に表示し、
　画面領域２０には、使用者がマウスを操作し、波形解析部２２の標点表示処理部２８が表示するマウスポインタ３１をピーク波形の点Ｐに重ねてクリックすることで、ピークの立ち上がり位置を指定し、
　入力部２５としてマウスを用い、使用者がマウスでクリックしてピークの立ち上がり位置を指定した場合に換えて、表示部２６がタッチパネルとなっている場合は、ペン型入力デバイスや指でタッチする等の方法でピーク波形の点Ｐを指定し、クリック等の特別な指定のための操作を行うことなく、マウスポインタ３１が載ったピーク波形の点を指定された点としても良い
分取液体クロマトグラフ装置。」
（３）引用文献３
ア　引用文献３に記載された技術事項
　引用文献３には、以下の事項が記載されている。
（引３ａ）「【００２８】
　図１に、本発明を適用する波形表示装置１の一例を示す。この
波形表示装置１は、
本体２を有し
本体２は、
表示画面１７を備え
表示画面１７は、
タッチパネルであり、操作部１８を兼ね
測定データを測定し、測定データに基づく波形Ａ，Ｂを、表示画面１７に表示する測定装置である
【００２９】
　図２に、波形表示装置１の構成をブロック図で示す。
【００３０】
　波形表示装置１は、一例として、
本体２
の内部に、
測定部１２、ＣＰＵ
１５、表示画面１７、操作部１８、記憶部１９
を備え
（引３ｂ）「【００３９】
　波形表示装置１のＣＰＵ１５（図２参照）は、電源が投入されると記憶部１９のプログラムに従って動作する。
ＣＰＵ１５は、測定部１２を制御して測定を実行し、測定データを取得する
ＣＰＵ１５は、取得した測定データを記憶部１９に記憶させ
【００４０】
　
ＣＰＵ１５は波形表示処理手段３０として動作し
記憶部１９から測定データを読み込んで、
表示画面１７に測定データに基づく波形の一部を波形Ａ，Ｂとして表示する
波形表示処理手段３０は、測定中にリアルタイムに波形Ａ，Ｂを表示し
（引３ｃ）「【００５３】
　
波形移動指示手段３１は、停止操作が行われたときに、波形のスクロールを直ちに停止させ
停止操作は、
タッチパネル（表示画面１７）をタッチする操作
である
（引３ｄ）「
　　　　　　　　　　　　　　　　　　　　　　　　　　　　　　　 」
イ　引用文献３に記載された技術事項
　上記（引３ａ）〜（引３ｃ）より、引用文献３には以下の技術事項（以下「技術事項３という。」が記載されている。
「波形表示装置１は、本体２を有し、
　本体２は、表示画面１７を備え、
　表示画面１７は、タッチパネルであり、操作部１８を兼ね、
　測定データを測定し、測定データに基づく波形Ａ，Ｂを、表示画面１７に表示する測定装置であって、
　本体２の内部に、測定部１２、ＣＰＵ１５、表示画面１７、操作部１８、記憶部１９、を備え、
　ＣＰＵ１５は、測定部１２を制御して測定を実行し、測定データを取得し、
　ＣＰＵ１５は、取得した測定データを記憶部１９に記憶させ、
　ＣＰＵ１５は波形表示処理手段３０として動作して、記憶部１９から測定データを読み込んで、表示画面１７に測定データに基づく波形の一部を波形Ａ，Ｂとして表示し、
　波形表示処理手段３０は、測定中にリアルタイムに波形Ａ，Ｂを表示し、
　波形移動指示手段３１は、停止操作が行われたときに、波形のスクロールを直ちに停止させ、
　停止操作は、タッチパネル（表示画面１７）をタッチする操作である
波形表示装置１。」
（４）　引用文献４
ア　引用文献４に記載された事項
　引用文献４には以下の事項が記載されている。
（引４ａ）「【００７８】
　次に図6A〜図7を参照して、
遠隔装置12上に表示される
患者生命徴候表示250は、
患者生命徴候がグラフ形状で示され
患者生命徴候は、
リアルタイムで表示する
こともでき
【００７９】
　
遠隔装置12のユーザは、
ディスプレイ上に詳細に提示される特定の波形を選択することができ
ディスプレイは、装置12の動作を調節するための装置12への入力としてディスプレイとの接触を登録することができるタッチスクリーンディスプレイとして提供する
ユーザが
心拍数波形を選択する場合
心拍数波形252は、基礎となる患者データが遠隔装置によって受信されるのと同時にリアルタイムで表示することができ
波形252のリアルタイム更新を一時停止しかつ波形252の履歴照会を提供するための、再生ボタン256も含まれ
イ　引用文献４に記載された技術事項
　上記（引４ａ）より、引用文献４には、以下の技術事項（以下「技術事項４」という。）が記載されている。
「患者生命徴候がグラフ形状で示される患者生命徴候表示250を、遠隔装置12上に表示し、
　患者生命徴候は、リアルタイムで表示することができ、
　ユーザは、遠隔装置12のディスプレイ上に詳細に提示される特定の波形を選択することができ、
　ディスプレイは、装置12の動作を調節するための装置12への入力としてディスプレイとの接触を登録することができるタッチスクリーンディスプレイとして提供され、
　ユーザが心拍数波形を選択する場合、心拍数波形252は、基礎となる患者データが遠隔装置によって受信されるのと同時にリアルタイムで表示することができ、
　波形252のリアルタイム更新を一時停止しかつ波形252の履歴照会を提供するための、再生ボタン256も含む
遠隔装置12。」
（５）引用文献５
ア　引用文献５に記載された事項
　引用文献５には以下の事項が記載されている。
（引５ａ）「【００２２】
　制御部１７０は例えばＣＰＵであり、例えばファイル記憶部１６０に記録された制御プログラムを実行して本実施形態の心電計全体の動作を制御する。入力部１８０はボタン、スイッチ、キーボード、マウス、ジョイスティック、タッチパネル等を代表とする少なくとも１つのインプットデバイスであり、ユーザが各種設定や指示を行う際に使用する。
表示部１９０は
表示装置であり、制御部１７０の制御に従い、心電図をはじめとする各種情報を表示す
表示部１９０に入力部１８０の一部を構成するタッチパネルが設けられ
【００２３】
　
このような構成を有する
心電図解析装置は、
（引５ｂ）「【００２５】
　まず、
ステップＳ２０１で、リアルタイム画面表示を行う
リアルタイム画面には、検査の状態、心電図波形（リアルタイム）、被検者の情報、心電計の状態などが表示され
（引５ｃ）「【００２９】
　
ファンクションキー表示部３７は、
利用可能な機能がパーソナルコンピュータのキーボードが有するファンクションキーを模して表示され
アイコン部分をタッチすると、画面上に設けられたタッチパネルにより検知され、ファンクションキーを押下したのと同等の操作感が得られ
【００３０】
　図２に戻って、
ステップＳ２０３で、バッファリング処理を開始する
【００３１】
　ステップＳ２０５では、入力部１８０を通じてユーザから自動解析記録の実行指示があったかどうかを検出する。自動解析記録の指示があった場合、ステップＳ２０７で後述する自動解析記録処理を行なう。指示がなければステップＳ２０９へ進む。
【００３２】
　
ステップＳ２０９では、入力部１８０
の「フリーズ」ファンクションキーの押下
を通じてユーザからフリーズ指示があったかどうかを検出する
フリーズの指示があった場合、ステップＳ２１１で
フリーズ処理を行ない
（引５ｄ）「【００６８】
（フリーズ処理）
　次に、図８に示すフローチャートを用いて、図２の
ステップＳ２１１で行われる
フリーズ処理動作
　図３のリアルタイム画面表示において、ファンクションキー表示部３７の「フリーズ」が押下されると、フリーズ処理を開始する。
【００６９】
　まず、
ステップＳ５０１において、フリーズされた
バッファから、全データを読み出す
ステップＳ５０３で、読み出したデータに基づいてバッファイメージを作成する
　次に、
ステップＳ５０５で、フリーズ画面表示を行う
【００７０】
　ステップＳ５０７では、自動解析記録指示がなされたかどうかをチェックする。指示があった場合には、フリーズ画面上で手動指定された区間、或いはデフォルトで設定された区間を対象として、図５で説明した自動解析記録処理を行ない（ステップＳ５０９）、ステップＳ５１１へ進む。ステップＳ５０７で指示が検出できなければ、直接ステップＳ５１１へ進む。
【００７１】
　
ステップＳ５１１では、手動記録指示がなされたかどうかをチェックする。指示があった場合には、フリーズ画面上で手動指定された区間のフリーズデータを対象として、出力処理を行なう
ステップＳ５１３
【００７２】
　ステップＳ５１５では、フリーズ解除指示の有無を確認する。具体的には、フリーズ画面のファンクションキー表示部３７に含まれるフリーズ解除ボタンが押下されたかどうかを検出する。フリーズ解除指示がなされた場合には、ステップＳ２１３へ戻ってリアルタイム画面表示を行う。
【００７３】
　フリーズ解除指示が無ければ、
手動による記録範囲や解析対象区間の変更、表示区間の変更など、フリーズ画面の更新が必要な操作がなされたかどうかを確認する
ステップＳ５１７
フリーズ画面の更新が必要な操作がなされた場合には、ステップＳ５０１に戻り、バッファデータの読み出しやバッファイメージの更新等を行い、フリーズ画面の更新を行う。
【００７４】
（フリーズ画面）
　図９は、本実施形態の心電計における
フリーズ画面表示の
【００７５】
　
波形表示部９４には、
予め設定された誘導波形
が表示され
フリーズ画面では
固定区間の表示がなされ
イ　引用文献５に記載された技術事項
　上記（引５ａ）〜（引５ｄ）より、引用文献５には、以下の技術事項（以下「技術事項５」という。）が記載されている。
「制御部１７０の制御に従い、心電図をはじめとする各種情報を表示する表示部１９０に入力部１８０の一部を構成するタッチパネルが設けられた構成を有する心電図解析装置において、
　利用可能な機能がパーソナルコンピュータのキーボードが有するファンクションキーを模して表示し、アイコン部分をタッチすると、画面上に設けられたタッチパネルにより検知され、ファンクションキーを押下したのと同等の操作感が得られるファンクションキー表示部３７を有し、
　リアルタイム画面に、検査の状態、心電図波形（リアルタイム）、被検者の情報、心電計の状態などを表示するリアルタイム画面表示を行う、ステップＳ２０１と、
　バッファリング処理を開始するステップＳ２０３と、
　入力部１８０の「フリーズ」ファンクションキーの押下を通じてユーザからフリーズ指示があったかどうかを検出するステップＳ２０９と、
　フリーズの指示があった場合、フリーズ処理を行なうステップＳ２１１とを有し、
　ステップＳ２１１で行われる、フリーズ処理動作は、
　フリーズされたバッファから、全データを読み出すステップＳ５０１と、
　読み出したデータに基づいてバッファイメージを作成するステップＳ５０３と、
　フリーズ画面表示を行うステップＳ５０５と、
　手動記録指示がなされたかどうかをチェックするステップＳ５１１と、
　指示があった場合には、フリーズ画面上で手動指定された区間のフリーズデータを対象として、出力処理を行なうステップＳ５１３と、
　手動による記録範囲や解析対象区間の変更、表示区間の変更など、フリーズ画面の更新が必要な操作がなされたかどうかを確認するステップＳ５１７とからなり、
　フリーズ画面の更新が必要な操作がなされた場合には、ステップＳ５０１に戻り、バッファデータの読み出しやバッファイメージの更新等を行い、フリーズ画面の更新を行い、
　フリーズ画面表示の波形表示部９４には、予め設定された誘導波形が表示され、
　フリーズ画面では固定区間の表示がなされる
　心電図解析装置。」
（６）引用文献６
ア　引用文献６に記載された事項
　引用文献６には、以下の事項が記載されている。
　
（引６ａ）「[0003]This application in general relates to one, two, or more monitors that can assess the physiological and/or psychological state of a subject. 
In particular, some implementations relate to non-contact and radar-based physiologic sensors and their method of use that can provide, apnea monitoring, apnea therapy to subjects, sway cancellation, multi-parameter systems, realize cessation of breath, identify patients, or any combination thereof.
（引６ｂ）「[0018]According to another aspect, a system for integrated monitoring of physiological parameters of a subject is provided. The system can include one or more non-contact vital sign sensors configured to: generate a signal, such as an electromagnetic signal, e.g., a radio frequency (RF) signal; transmit the generated RF signal towards a subject; receive radiation scattered by the subject; extract a Doppler shifted signal from the scattered radiation; and derive information corresponding to physiological movement of at least a portion of the subject that is substantially separate from non-cardiopulmonary motion. 
The system can also include at least one of a separate contact based patient monitoring device and a separate contact based vital signs measurement device.
（引６ｃ）「[0328]In various embodiments, the device's display may be co-located with the radar unit, or it may be separate such that the orientation and/or position of the display may be changed independently of that of the radar unit. In various embodiments, the device may use the display of an associated vital signs and/or patient monitoring device. In various embodiments of a spot check device, which can display a point-in-time respiratory rate, it may be possible to alternate between the respiratory rate and the respiratory waveform used to obtain the rate. 
In embodiments that utilize a touch-screen, this may be achieved by touching the number where the rate is displayed. Alternatively, a separate button may be used to toggle between the rate and the trace, or waveform. In various embodiments, it may be possible to zoom in and out on the waveform or trace. In various embodiments, the zoom may utilize a multi-touch screen. In various embodiments the zoom may utilize zoom in and zoom out buttons.
[0329]In various embodiments, a waveform may be displayed and the user may select the portion of the waveform to use to determine the rate in a spot check scenario. 
In some embodiments, the real-time waveform may be continuously displayed and the user may touch a button to freeze the waveform and select an interval in which to determine the rate. In some embodiments, the waveform can un-freeze after a pre-determined time.
［０３２９］・・・いくつかの実施形態では、リアルタイム波形は連続的に表示されてもよく、ユーザはボタンをタッチして波形をフリーズし、レートを決定する間隔を選択してもよい。いくつかの実施形態において、波形は、所定の時間の後に停止を解除することができる。」
イ　引用文献６に記載された技術事項
　上記（引６ａ）〜（引６ｃ）より、引用文献６には以下の技術事項（以下「技術事項６」という。）が記載されている。
「非接触およびレーダーベースの生理学的センサと、被験者への無呼吸モニタリング、無呼吸療法、同様キャンセル、マルチパラメーターシステム、呼吸停止の実現、患者の特定、または、それらの任意の組み合わせに関するシステムにおいて、
　システムはまた、別個の接触ベースの患者監視デバイス及び別個の接触ベースのバイタルサイン測定デバイスの少なくとも一方を含むことができ，
　タッチスクリーンを利用する場合は、レートが表示される数字に触れることにより、レートとトレースまたは波形を切り替えることができ、
　ズームはマルチタッチスクリーンを利用して、波形またはトレースをズームイン及びズームアウトすることが可能であり、
　リアルタイム波形は連続的に表示され、
　ユーザはボタンをタッチして波形をフリーズし、レートを決定する間隔を選択し、
　波形は、所定の時間の後にフリーズを解除することができるシステム。」
（７）引用文献７
ア　引用文献７に記載された事項
　引用文献７には、以下の事項（以下「技術事項７」という。）が記載されている。
（引７ａ）「【請求項５】
　測定結果と測定結果に関するパラメータを同一画面上で表示する表示装置と、前記パラメータの情報を処理するデータ処理部とを有する液体クロマトグラフ装置であって、
　前記表示装置はタッチパネル操作が可能であり、前記表示画面上でピンチイン又はピンチアウトすることにより測定結果の波形を拡大縮小し、前記測定結果の波形を拡大した状態で表示画面上でスライド操作することにより、前記測定結果の波形のピークのベースラインを設定することが可能であることを特徴とする液体クロマトグラフ装置。」
（８）引用文献８
ア　引用文献８に記載された事項
　引用文献８には、以下の事項が記載されている。
（引８ａ）「【０００１】
　本発明はクロマトグラフ分析装置に関し、特に、
クロマトグラフデータの波形処理機能を有するクロマトグラフ装置
（引８ｂ）「【００５２】
　図１０は、表示装置に表示された分離処理結果表示画面の例を示す。ここでは、EMGモデルフィッティングを用いて分離処理を行ったものとする。上述のように、図９の
EMGモデルフィッティングパラメータ設定画面分離処理結果表示画面の実行ボタン９０３をクリックすると、
分離処理結果表示画面が表示され
分離処理結果表示画面は、グラフ領域１００１、
が表示され
（引８ｃ）「【図１０】
　　　　　　　　　　　　　　　　　　　　　　　　　　　　　　」
イ　引用文献８に記載された技術事項
（ア）上記（引８ｃ）より、「表示装置に表示された分離処理結果表示画面」の「グラフ領域１００１」に、分離処理を行う前のグラフと、分離処理を行った後のグラフとを重ねて表示している点が見て取れる。
（イ）（ア）を踏まえると、上記（引８ａ）〜（引８ｃ）より、引用文献８には、以下の技術事項（以下「技術事項８」という。）が記載されている。
「EMGモデルフィッティングパラメータ設定画面分離処理結果表示画面の実行ボタン９０３をクリックすると、分離処理結果表示画面が表示され、
　分離処理結果表示画面のグラフ領域１００１には、分離処理を行う前のグラフと、分離処理を行った後のグラフとが重ねて表示される
クロマトグラフデータの波形処理機能を有するクロマトグラフ装置。」
（９）甲１号証について
ア　甲１号証に記載された事項
　申立人が、特許異議申立書において引用した甲１号証には、以下の事項が記載されている。
（甲１ａ）「　　　【００１４】
　図１は、
液体クロマトグラフィー用検出装置
に
適用した場合
一体となった表示部１７を備える装置本体１１は、移動相中の溶質の濃度を光学的に測定する検出手段
のほか、ＲＡＭとＲＯＭとからなるメモリを有して装置の全体を統括制御している演算制御手段
など、
検出装置として機能すべき構成部材を備えて
　　　【００１５】
　また、装置本体１１の一側表面、例えば
装置本体１１の正面１６側に一体となって配設される前記表示部１７は、検出手段が検出した測定データを装置本体１１が備える演算制御手段により出力制御された波形画像として画面１８上に出力表示する
　　　【００１６】
　しかも、前記
表示部１７が画面１８の画面パターンを切替え操作するためのタッチパネル機能をも兼備して形成されている
（甲１ｂ）「　　　【００１９】
　このように、
画面１８に表示される各種のファンクションキーを押圧することで、
レンジ選択キー２９や各種操作キー３０を備える画面パターン
を選択的に出力表示することができ
　　　【００２０】
　一方、
装置本体１１が備える検出手段により検出された測定データは、
波形画像３１として画面１８上に出力表示することができ
各種操作キー３０を操作することで
部分的に拡大した波形画像３１として出力表示することもでき
　　　【００２１】
　このように
表示部１７をタッチパネル機能をも兼備させて形成している場合には、外付けの操作部ではなく、画面１８上に表示される所定のキー表示部位を押圧することで、当該キーに対応する画面パターンを表示させたり、必要な入力ができる
（甲１ｃ）「
　　　　　　　　　　　　　　　　　　　　　　　　　　　　　　　　　」
イ　甲１号証に記載された技術事項
（ア）上記（甲１ｃ）より、「装置本体１１」は、筐体を備えている点が見て取れる。
（イ）また、（甲１ａ）より、甲１号証の「装置本体１１」は、「移動相中の溶質の濃度を光学的に測定する検出手段のほか、ＲＡＭとＲＯＭとからなるメモリを有して装置の全体を統括制御している演算制御手段など、検出装置として機能すべき構成部材を備えて」いるものであって、通常「移動相中の溶質の濃度を光学的に測定する検出手段のほか、ＲＡＭとＲＯＭとからなるメモリを有して装置の全体を統括制御している演算制御手段など、検出装置として機能すべき構成部材」は、「装置本体１１」の内部に備えられることから、上記「装置本体１１」の筐体は中空状であるといえ、「移動相中の溶質の濃度を光学的に測定する検出手段のほか、ＲＡＭとＲＯＭとからなるメモリを有して装置の全体を統括制御している演算制御手段など、検出装置として機能すべき構成部材」は、中空状の筐体内に備えられているものであるといえる。
（ウ）上記（ア）及び（イ）を踏まえると、上記（甲１ａ）〜（甲１ｃ）より、甲１号証には以下の技術事項（以下「甲１技術事項」という。）が記載されている。
「液体クロマトグラフィー用検出装置において、移動相中の溶質の濃度を測定する検出手段のほか、ＲＡＭとＲＯＭとからなるメモリを有して装置の全体を統括制御している演算制御手段など、検出装置として機能すべき構成部材を中空状の筐体内に備えた、一体となった表示部１７を備える装置本体１１において、
　装置本体１１の正面１６側に一体となって配設される前記表示部１７は、検出手段が検出した測定データを装置本体１１が備える演算制御手段により出力制御された波形画像として画面１８上に出力表示し、
　表示部１７が画面１８の画面パターンを切替え操作するためのタッチパネル機能をも兼備して形成され、
　装置本体１１が備える検出手段により検出された測定データは、波形画像３１として画面１８上に出力表示することができ、
　各種操作キー３０を操作することで部分的に拡大した波形画像３１として出力表示することもでき、
　画面１８上に表示される所定のキー表示部位を押圧することで、当該キーに対応する画面パターンを表示させたり、必要な入力ができる
装置本体１１。」
（１０）参考文献について
ア　参考文献１に記載された事項
　参考文献１には、以下の事項が記載されている。
（参１ａ）「【００２６】
図５には本実施形態にかかるカラムオーブンが適用された液体クロマトグラフ装置の構成が示されている。
　同図に示す
液体クロマトグラフ装置１００は、
カラムオーブン機構１０８と、示差屈折率測定機構１１０と
を備え
【００２７】
そして、溶媒槽１１８からの溶媒は、脱気機構１０２により脱気され、さらにパージ機構１０４を介してポンプオーブン１０６に向かう。該ポンプオーブン１０６でプレヒートされた溶媒はサンプルルートとリファレンスルートに二分割され、
カラムオーブン機構１０８内のサンプルカラム、リファレンスカラムをそれぞれ通過して示差屈折率測定機構１１０により屈折率が測定される
（参１ｂ）「【図５】
               　　　　　　　　　　　　　　　　　　　　　　　　」
イ　参考文献２に記載された事項
　参考文献２には、図面とともに以下の事項が記載されている。
（参２ａ）「【０００１】
　本発明は、ＧＰＣ（Gel Permeation Chromatography）の検出器のノイズ、特に高温ＧＰＣの検出器のノイズを低減したＧＰＣ分析方法及びＧＰＣ装置に関する。」
（参２ｂ）「【００３６】
比較例
　図１及び２にＧＰＣ装置の概略図を示す。
ＧＰＣ装置１は本体
からなり、本体筐体内には、カラム及び検出器フローセルが内蔵されたカラムオーブン２
及び検出用受光素子部を有する電子回路部６が配設され
　この装置によりＮＩＳＴ１４７５のＧＰＣ分析を６回繰返し行ない、得られたクロマトグラムを図３に示した（個々のクロマトグラムを分り易くするためにクロマトグラムを検出量方向にシフトして作図した）。得られたクロマトグラムは溶出時間１９〜２８分間に試料ピークは認められるものの、試料ピーク前の溶出時間での検出量の変化が大きいものであった。」
（参２ｃ）「【図１】
　　　　　　　　　　　　　　　　　　　　　　　　　　　　　　」
ウ　参考文献１及び２に記載された技術事項
（ア）上記（参１ｂ）より、参考文献１の「液体クロマトグラフ装置１００」は、筐体を備えている点及び該筐体内に、「カラムオーブン機構１０８を備え」ている点が見て取れる。
　そうすると、（参１ａ）及び（参１ｂ）より、参考文献１には、「カラムオーブン機構１０８を」筐体内に「備え」、「カラムオーブン機構１０８内のサンプルカラム、リファレンスカラムをそれぞれ通過して示差屈折率測定機構１１０により屈折率が測定される」「液体クロマトグラフ装置１００」が記載されている。
（イ）上記（参２ｂ）及び（参２ｃ）より、参考文献２には、「本体筐体内に」、「カラム」「が内蔵されたカラムオーブン２」「が配設され」た「ＧＰＣ装置１」が記載されている。
（ウ）参考文献２の「ＧＰＣ（Gel Permeation Chromatography）」「装置」は液体クロマトグラフ装置の１種であるから、参考文献１及び２には、いずれも、「本体筐体内にカラムが内蔵されたカラムオーブンが配設された液体クロマトグラフ装置」が記載されているから、「液体クロマトグラフ装置において、カラムが内蔵されたカラムオーブンを、本体筐体内に配設する技術」は周知技術であるといえる。
３　当審の判断
（１）本件発明１について
ア　対比
　本件発明１と引用発明とを対比する。
（ア）引用発明の「ＬＣ装置」及び「ＬＣ部本体１」は、それぞれ本件発明１の「クロマトグラフ」及び「本体」に相当する。そして、
（イ）引用発明の「検出器１４」は、「ＬＣ部本体１」に備えられたものであって、「各種成分を検出する」ものであり、「検出された信号」を、「デジタル値に変換するＡ／Ｄ変換器（ＡＤＣ）１５」へ送っており、「各種成分」は、試料における「各種成分」であるから、引用発明の「ＬＣ装置」に設けられ、「各種成分を検出」して、「検出された信号」を、「デジタル値に変換するＡ／Ｄ変換器（ＡＤＣ）１５」へ送る「検出器１４」は、本件発明１の「前記本体に設けられ、試料を検出して検出信号を出力する検出器」に相当する。
（ウ）本件発明１の「タッチパネル式の表示画面を有する表示器」は、表示機能を有するとともに、操作機能も有しているものであるから、引用発明の「キーボードやマウスなどのポインティングデバイスであ」る「操作部２８」と、「液晶モニタ等の表示モニタであ」る「表示部２９」は、本件発明１の「前記本体に設けられ、タッチパネル式の表示画面を有する表示器」と、操作部及び「表示画面を有する表示器」である点で共通する。
（エ）引用発明の「データ記憶部２５は分析により収集されたクロマトグラムデータを保存するためのクロマトグラムデータ格納部２６」は、本件発明１の「過去の分析時に生成されたクロマトグラムのデータを格納する記憶部」に相当する。
（オ）引用発明の「処理部２は、データ処理部２０とデータ記憶部２５とを含み」、「データ処理部２０」は、「クロマトグラム描画部２１、ピーク検出部２２、指示ピーク特定部２３、クロマトグラム伸縮処理部２４などの機能ブロックを含み、データ記憶部２５は分析により収集されたクロマトグラムデータを保存するためのクロマトグラムデータ格納部２６を含み、ＬＣ部本体１による分析中に、或る試料についての分析実行中に順次得られるクロマトグラムデータが収集され、それらが、クロマトグラムデータ格納部２６にデータファイルとして格納され、分析担当者が操作部２８で上記データファイルを指定してクロマトグラムの描出を指示すると、データ処理部２０においてクロマトグラム描画部２１が該当するデータファイルをクロマトグラムデータ格納部２６から読み出し、クロマトグラム表示画面４０を作成してリアルタイムで表示部２９の画面上に表示し」ている。ここで「或る試料についての分析実行中に順次得られるクロマトグラムデータ」は、「検出器１４」からの「検出された信号」に基づくものであり、「リアルタイムで表示部２９の画面上に表示し」た「クロマトグラム表示画面４０」は、「クロマトグラム」を表示させるための領域に「クロマトグラム」を「リアルタイム」で表示させた画面である。
　すると、引用発明の「検出器１４」からの「検出された信号」に基づいて、「表示部２９の画面上」の「クロマトグラム表示画面４０」を「リアルタイム」で表示させる「データ処理部２０」と、本件発明１の「前記検出器からの検出信号に基づいて、前記表示画面内に配置され、クロマトグラムをリアルタイムで表示させるための領域である第１グラフ領域内に第１クロマトグラムをリアルタイムで表示させ」、「前記表示画面における前記第１グラフ領域内に第１クロマトグラムをリアルタイムで変化させながら表示させるとともに、前記表示画面における第２グラフ領域内に前記記憶部に格納されている前記データに対応する第２クロマトグラムを表示させ」る「表示処理部」とは、「前記検出器からの検出信号に基づいて、前記表示画面内に配置され、クロマトグラムをリアルタイムで表示させるための領域であるグラフ領域内にクロマトグラムをリアルタイムで表示させる」「表示処理部」である点で共通する。
（カ）引用発明は、「分析担当者は表示部２９の画面上に表示されたクロマトグラム表示画面４０を見て、着目するピークを操作部２８により選択した上で自動拡大・縮小表示を指示し、クロマトグラム表示画面４０上に重畳して表示される矢印形状のカーソル４３は操作部２８のマウスに連動して移動するようになっており、分析担当者はマウス操作によりカーソル４３を着目するピークの内側に移動させ、ピークＰが着目するピークであるものとし、このピークＰを指示するようにカーソル４３の位置が設定され」、「データ処理部２０」は、「上記操作を受けて」「強度軸が拡大・縮小されたクロマトグラム」を表示するから、引用発明の「データ処理部２０」は、「クロマトグラム表示画面４０」への「強度軸が拡大・縮小されたクロマトグラム」の表示を、「操作部２８のマウスに連動して移動」する「クロマトグラム表示画面４０上に重畳して表示される矢印形状のカーソル４３」の操作に基づいて行っているといえる。
　すると、引用発明の「操作部２８のマウスに連動して移動」する「クロマトグラム表示画面４０上に重畳して表示される矢印形状のカーソル４３」の操作に基づいて、「クロマトグラム表示画面４０」への「強度軸が拡大・縮小されたクロマトグラム」を表示する「データ処理部２０」は、本件発明１の「前記表示画面における前記グラフ領域に対するタッチ操作に基づいて、当該第１グラフ領域内の表示を変更」し、「前記表示画面における前記第１グラフ領域又は前記第２グラフ領域に対するタッチ操作に基づいて、前記第１クロマトグラム及び前記第２クロマトグラムの変化を停止させ、その後の当該第２グラフ領域に対するタッチ操作に基づいて、該第２クロマトグラムをコピーしたクロマトグラムを第１グラフ領域内の前記第１クロマトグラムに横軸である時間軸に対応付けた状態で重ねて表示することで、当該第１グラフ領域内の表示を変更する」「表示処理部」とは、「前記表示画面における前記グラフ領域に対する操作に基づいて、当該グラフ領域内の表示を変更する表示処理部」である点で共通する。
（キ）上記（オ）及び（カ）から、引用発明の「データ処理部２０」と本件発明１の「表示処理部」とは、「前記表示処理部は、前記検出器からの検出信号に基づいて、前記表示画面における前記グラフ領域内にクロマトグラムをリアルタイムで変化させながら表示させる」点で一致し、「前記表示画面における前記グラフ領域に対する操作に基づいて、当該グラフ領域内の表示を変更する」点で共通する。
ｇ　以上ａ〜ｆより、本件発明１と引用発明との間には、以下の一致点と相違点がある。
（一致点）「本体と、
　前記本体に設けられ、試料を検出して検出信号を出力する検出器と、
　操作部及び表示画面を有する表示器と、
　前記検出器からの検出信号に基づいて、前記表示画面内に配置され、クロマトグラムをリアルタイムで表示させるための領域であるグラフ領域内にクロマトグラムをリアルタイムで表示させるとともに、前記表示画面における前記グラフ領域に対する操作に基づいて、当該グラフ領域内の表示を変更する表示処理部とを備え、
　前記表示処理部は、前記検出器からの検出信号に基づいて、前記表示画面における前記グラフ領域内にクロマトグラムをリアルタイムで変化させながら表示させるとともに、前記表示画面における前記グラフ領域に対するタッチ操作に基づいて、当該グラフ領域内の表示を変更するクロマトグラフ。」
（相違点１）本体が、本件発明１は、「カラム、及びカラムオーブンを収容する中空状」であるのに対し、引用発明は、そのような特定がない点。
（相違点２）操作部及び表示画面を有する表示器が、本件発明１は、「前記本体に設けられ、タッチパネル式の表示画面を有する表示器」であるのに対し、引用発明の「操作部２８」及び「表示部２９」は「処理部２」である「ＰＣに接続され」ており、「ＬＣ部本体１」とは別体に設けられているといえるから、引用発明は、「ＬＣ部本体１」とは別体に設けられた「操作部２８」及び「表示部２９」である点。
（相違点３）前記表示画面における前記グラフ領域に対する操作が、本件発明１は、「タッチ操作」であるのに対し、引用発明は、「クロマトグラム表示画面４０上に重畳して表示される矢印形状のカーソル４３」を「連動して移動する」「操作部２８のマウス」による操作である点。
（相違点４）表示処理部が、本件発明１は、「前記検出器からの検出信号に基づいて、前記表示画面内に配置され、クロマトグラムをリアルタイムで表示させるための領域である第１グラフ領域内に第１クロマトグラムをリアルタイムで表示させるとともに、前記表示画面における前記グラフ領域に対するタッチ操作に基づいて、当該第１グラフ領域内の表示を変更し」、「前記検出器からの検出信号に基づいて、前記表示画面における前記第１グラフ領域内に第１クロマトグラムをリアルタイムで変化させながら表示させるとともに、前記表示画面における第２グラフ領域内に前記記憶部に格納されている前記データに対応する第２クロマトグラムを表示させ、さらに前記表示画面における前記第１グラフ領域又は前記第２グラフ領域に対するタッチ操作に基づいて、前記第１クロマトグラム及び前記第２クロマトグラムの変化を停止させ、その後の当該第２グラフ領域に対するタッチ操作に基づいて、該第２クロマトグラムをコピーしたクロマトグラムを第１グラフ領域内の前記第１クロマトグラムに横軸である時間軸に対応付けた状態で重ねて表示することで、当該第１グラフ領域内の表示を変更する」のに対し、引用発明はそのような特定がない点。
イ　判断
　事案に鑑み相違点４について検討する。
　本件発明１の「前記表示画面における第２グラフ領域内に」「表示させ」る「第２クロマトグラム」は、「前記表示画面における前記第１グラフ領域又は前記第２グラフ領域に対するタッチ操作に基づいて」、「前記第１クロマトグラム」とともに「変化」が「停止させ」られるものであるから、本件発明１の「第２クロマトグラム」は、「前記第１グラフ領域内」の「第１クロマトグラム」とともに「リアルタイムで変化」するものであるといえる。そうすると、上記相違点４に係る「前記検出器からの検出信号に基づいて、前記表示画面における前記第１グラフ領域内に第１クロマトグラムをリアルタイムで変化させながら表示させるとともに、前記表示画面における第２グラフ領域内に前記記憶部に格納されている前記データに対応する第２クロマトグラムを表示させ」る構成は、「前記検出器からの検出信号に基づいて、前記表示画面における前記第１グラフ領域内に第１クロマトグラムをリアルタイムで変化させながら表示させるとともに、前記表示画面における第２グラフ領域内に前記記憶部に格納されている前記データに対応する第２クロマトグラムを」「リアルタイムで変化させながら表示させる」構成であるといえ、該構成は、引用文献１〜８、甲１号証、参考文献１及び２に記載されていないし、当該技術分野において周知の構成であるともいえない。そして、「前記検出器からの検出信号に基づいて、前記表示画面における前記第１グラフ領域内に第１クロマトグラムをリアルタイムで変化させながら表示させるとともに、前記表示画面における第２グラフ領域内に前記記憶部に格納されている前記データに対応する第２クロマトグラムを」「リアルタイムで変化させながら表示させる」構成が、引用文献１〜８、甲１号証、参考文献１及び２に記載されていない以上、これら文献には、上記相違点４に係る「前記表示画面における前記第１グラフ領域又は前記第２グラフ領域に対するタッチ操作に基づいて、前記第１クロマトグラム及び前記第２クロマトグラムの変化を停止させ、その後の当該第２グラフ領域に対するタッチ操作に基づいて、該第２クロマトグラムをコピーしたクロマトグラムを第１グラフ領域内の前記第１クロマトグラムに横軸である時間軸に対応付けた状態で重ねて表示することで、当該第１グラフ領域内の表示を変更する」構成が記載されているとはいえないから、他の相違点について検討するまでもなく、本件発明１は、引用発明、引用文献１〜８、甲１号証、参考文献１及び２に記載された技術事項から、当業者が容易に想到できたものであるとはいえない。
ウ　申立人の意見書における主張について
　令和２年１０月１３日に提出した意見書において申立人は、
「・構成（Ａ）に関して
　過去のクロマトグラムと現在のクロマトグラムとを並べて表示するというように、過去の波形を表示画面に表示させることについては、例えば、参考資料３及び４に記載されているように、当該技術分野において通常行われていることです。このような構成は、例えば、参考資料３の段落０００３、０００４、００１９、００２２及び図３（ｃ）、並びに、参考資料４の段落０００３及び図９に記載されています。
・・・
　また、異議申立書に添付した甲１０号証にも、センサ出力結果の波形をディスプレイ上に重ねて表示させる構成やタッチ操作により表示を変更させる構成が記載されております。甲１０号証は、クロマトグラフに限らず汎用的な表示器に関して記載されたものですが、構成（Ｃ）の表示のさせ方が従来公知のものであることの根拠となるものです。
　さらに、過去のクロマトグラムと現在のクロマトグラムとを画面上に重ね合わせて相違を判別し易くする構成については、例えば、参考資料４及び５に記載されているように、当該技術分野おいて通常行われていることです。このような構成は、例えば、参考資料４の段落０００３及び図１０、並びに、参考資料５の段落０００２に記載されています。
　すなわち、構成（Ｃ）は、引用文献１〜３及び８、甲１０号証、並びに、参考資料４及び５に基づいて容易に想到できるものです。
・・・」
旨主張している。しかしながら、上記参考資料３（特開平１１−３０４７８７号公報）、参考資料４（特開２００７−１４７４６４号公報）及び参考資料５（特開平７−４９３４１号公報）には、今回測定したクロマトグラムと、過去に測定したクロマトグラムとを比較するために表示する構成は記載されているものの、リアルタイムで変化するクロマトグラムと過去のクロマトグラムとを同時に表示する構成は記載されていないし、甲１０号証には重ねて表示されるグラフがどのようなグラフであるか特定されていないから、上記相違点４に係る構成は、上記参考資料３〜５及び甲１０号証を参酌しても、当業者が容易に想到できたものであるとはいえないから、申立人の上記主張は採用されない。
（２）本件発明２及び４について
　本件発明２は、本件発明１に「前記表示処理部は、前記表示画面における前記第１グラフ領域に対するタッチ操作に基づいて、当該第１グラフ領域内に表示されている前記第１クロマトグラムを拡大表示又は縮小表示させる」旨の限定を、本件発明４は、本件発明１及び２のいずれかの発明に「前記表示処理部は、前記表示画面における前記第１グラフ領域内の前記第１クロマトグラムの表示を停止させた後、当該第１グラフ領域に対するタッチ操作が一定時間行われない場合に、当該第１クロマトグラムの変化を再開させる」旨の限定を、それぞれ加えたものであって、いずれの発明も、上記相違点４に係る構成を有しているものである。
　そうすると、本件発明２及び４は、上記（１）と同様の理由により、引用発明、引用文献１〜８、甲１号証、参考文献１及び２に記載された技術事項から、当業者が容易に想到できたものであるとはいえない。
第５　取消理由通知において採用しなかった特許異議申立て理由について
　申立人は、特許異議申立書において、訂正前の請求項１に係る発明は、甲１号証に記載された発明並びに甲２及び５〜１１号証に記載された技術事項に基づいて、訂正前の請求項２に係る発明は、甲１号証に記載された発明並びに甲２、３及び５〜１１号証に記載された技術事項に基づいて、訂正前の請求項３に係る発明は、甲１号証に記載され得た発明並びに甲２、４及び１０号証に記載された技術事項に基づいて、訂正前の請求項４に係る発明は、甲１号証に記載された発明及び甲２〜１１号証に記載された技術事項に基づいて、当業者が容易に想到できたものである旨主張する。
　しかしながら、上記第４の３（１）イで検討したとおり、本件訂正請求により限定されたことにより生じた上記相違点４に係る構成は、甲１号証、引用文献２〜８である甲２、６〜９、３及び４に記載されていないし、さらに、甲５、１０および１１号証にも記載されていない。
　そうすると、本件発明１、２及び４は、甲１号証に記載された発明、甲２〜１１号証に記載された技術事項から当業者が容易に発明できたものであるとはいえないから、申立人の上記主張は採用されない。
　
第６　むすび
　以上のとおりであるから、取消理由通知に記載した取消理由及び特許異議申立書に記載した特許異議申立理由によっては、本件請求項１、２及び４に係る特許を取り消すことはできない。
　また、他に本件請求項１、２及び４に係る特許を取り消すべき理由を発見しない。
　また、請求項３に係る特許は、上記のとおり、訂正により削除された。これにより、申立人による特許異議の申立てについて、請求項３に係る申立ては、申立ての対象が存在しないものとなったため、特許法第１２０条の８第１項で準用する同法第１３５条の規定により却下する。
　よって、結論のとおり決定する。
【異議決定日】
令和２年１１月２５日（２０２０．１１．２５）
【訂正の要旨】
審決（決定）の【理由】欄参照。
（５７）【特許請求の範囲】
　【請求項１】
　
カラム、及びカラムオーブンを収容する中空状の
　前記本体に設けられ、試料を検出して検出信号を出力する検出器と、
　前記本体に設けられ、タッチパネル式の表示画面を有する表示器と、
　
過去の分析時に生成されたクロマトグラムのデータを格納する記憶部と、
　前記検出器からの検出信号に基づいて、前記表示画面内に配置され、クロマトグラムをリアルタイムで表示させるための領域である
第１
第１
第１
　前記表示処理部は、前記検出器からの検出信号に基づいて、前記表示画面における前記
第１
前記第１
前記表示画面における第２グラフ領域内に前記記憶部に格納されている前記データに対応する第２クロマトグラムを表示させ、さらに
第１
又は前記第２グラフ領域
前記第１
および前記第２クロマトグラム
第２
該第２クロマトグラムをコピーしたクロマトグラムを前記第１グラフ領域内の前記第１クロマトグラムに横軸である時間軸を対応付けた状態で重ねて表示することで、
第１
　【請求項２】
　前記表示処理部は、前記表示画面における前記
第１
第１
前記第１
　【請求項３】
　
（削除）
　【請求項４】
　前記表示処理部は、前記表示画面における前記
第１
前記第１
第１
当該第１
２